(57)【要約】【課題】碍子連を被取付体の所定の取付位置に簡単な作業で取付けられる碍子連取付装置および碍子連取付方法の提供。【解決手段】巻取器２２のガイド体２３から碍子連１０７の長手方向に沿って導出された索条体２１を、被取付体Ｂの所定の取付位置Ｘに係止させ、巻取器２２により索条体２１を巻取ることにより、電線Ｋを接続した状態の碍子連１０７を、被取付体Ｂの所定の取付位置Ｘまで索条体２１に沿って移動させ、碍子連１０７を被取付体Ｂの所定の取付位置Ｘに位置させ、碍子連１０７を被取付体Ｂの所定の取付位置Ｘに取付ける。【選択図】  図４
2019092237.tif 000002
【特許請求の範囲】
【請求項１】
笠部および該笠部の中央部に突設された接続部を有する本体部を備えた碍子の、前記接続部どうしを連結手段によって連結してなる碍子連を、被取付体の所定の取付位置に取付ける碍子連取付装置であって、
前記複数の碍子のうちの一方の碍子側に取付けられる碍子固定具と、
前記碍子固定具に配置され、前記所定の取付位置と前記碍子固定具とを連結する連結手段とを備え、
前記連結手段は、前記所定の取付位置に係止可能な索条体と、前記碍子連の長手方向に対し交差する回動軸を有し前記索条体を巻取り可能な巻取器と、前記索条体を挿通可能で前記碍子連の長手方向に沿って延びるガイド部を有するガイド体とを備えた特徴とする碍子連取付装置。
【請求項２】
前記ガイド体は、前記碍子固定具から突出するよう、前記ガイド部の長さを調整可能に構成されることを特徴とする請求項１に記載の碍子連取付装置。
【請求項３】
前記請求項１または２に記載の碍子連取付装置を用いて、前記碍子連に予め電線を接続し、電線が接続された状態の前記碍子連の複数の碍子のうちの一方の碍子側に碍子固定具を取付け、前記被取付体の所定の取付位置に前記索条体を係止させ、前記索条体を前記ガイド体のガイド部を通して前記巻取器により巻取るようにしたことを特徴とする碍子連取付方法。
【発明の詳細な説明】
【技術分野】
【０００１】
本発明は、被取付体（例えば、鉄塔のアーム）に碍子を取付ける碍子連取付装置および碍子連取付方法に関する。
【背景技術】
【０００２】
鉄塔間に架設される送電線は、耐張碍子装置や懸垂碍子装置（以下、単に碍子装置という）により、前記鉄塔に対し絶縁距離を確保された状態で支持される。図７に示すように、碍子装置Ａは、複数の碍子１００を直列に連結してなる碍子連１０７を有している。
【０００３】
ところで、碍子１００は、風雨等によって経年劣化するため、定期的あるいは不定期的に新しい碍子連として、鉄塔のアームの所定の取付位置に取付けられる。例えば特許文献１に、碍子連取付装置が提案されている。図７に示すように、碍子連取付装置２００は、細長い板状の吊上げ金具２０１と、該吊上げ金具２０１に対し移動可能で、且つ吊上げられるよう構成された連結体２０２とを備える。吊上げ金具２０１の一端部は、鉄塔のアームＢの所定の取付位置Ｘに連結可能とされ、吊上げ金具２０１の他端部は、前記碍子連１０７を連結可能とされる。吊上げ金具２０１の中央部には、前記碍子連１０７の重量に応じた吊上げ金具２０１の吊位置（連結体２０２によって吊上げられる位置）２０１ａが、吊上げ金具２０１の幅方向中央を通る中心線Ｏ上に所定の間隔をおいて複数設けられている。吊上げ金具２０１の中心線Ｏ上には、鉄塔のアームＢの取付位置Ｘに対する吊上げ金具２０１の取付位置（吊上げ金具２０１の一端部）２０１ｂと、碍子連１０７の連結位置（吊上げ金具２０１の他端部）２０１ｃとが設けられている。連結体２０２は、コ字形状で、吊上げ金具２０１の長手方向側縁部に跨って該側縁部に沿って移動する。連結体２０２には、前記中心線Ｏに平行に位置する長軸を有する長楕円状の吊り輪２０３が取付けられている。吊り輪２０３の吊位置２０３ａは、吊上げ金具２０１に対する連結体２０２の連結位置（吊上げ金具２０１の吊位置２０１ａ）よりも、吊上げ金具２０１の一端部寄りの位置にある。
【０００４】
前記碍子連取付装置２００を用いて鉄塔のアームＢの所定の取付位置Ｘに碍子連１０７を取付ける場合、作業者は、はじめに、碍子連１０７の重量に適応した吊上げ金具（連結体２０２）２０１の吊位置２０１ａを選択し、選択した吊位置２０１ａに連結体２０２を取付ける。つぎに、作業者は、吊上げ金具２０１の他端部に前記碍子連１０７を連結し、吊上げ金具２０１の一端部を自由端とした状態で、連結体２０２の吊り輪２０３を介して吊上げ金具２０１および碍子連１０７を吊上げる。この際、碍子連１０７は鉛直方向に吊上げられ、吊上げ金具２０１は、吊り輪２０３の吊位置２０３ａを支点に回動し、鉛直方向に対して所定角度傾斜した状態で吊上げられ、所定角度傾斜した吊上げ金具２０１の中心線Ｏの延長線上に、前記取付位置Ｘが位置する。この吊上げ金具２０１の傾斜は、碍子連１０７の重量に適応した吊上げ金具２０１の吊位置２０１ａによって決定される。吊上げ金具２０１は、さらに連結体２０２を上昇させることにより、鉄塔のアームＢの所定の取付位置Ｘに上昇させられる。
【先行技術文献】
【特許文献】
【０００５】
【特許文献１】特開２０１２−１２０３５７号公報
【発明の概要】
【発明が解決しようとする課題】
【０００６】
前記碍子連取付装置２００では、碍子連１０７の重量に応じて吊上げ金具２０１の傾斜角度が異なるので、碍子連１０７の重量に応じた吊上げ金具２０１の傾斜角度に設定する必要があり、碍子連１０７の重量に応じて、その都度、吊上げ金具（連結体２０２）２０１の吊位置２０１ａを変更している。その際の連結体２０２の吊上げ金具２０１への着脱作業に手間がかかる。
【０００７】
そこで本発明は、被取付体の所定の取付位置に簡単な作業で碍子連を取付けられる碍子連取付装置および碍子連取付方法の提供を目的とする。
【課題を解決するための手段】
【０００８】
本発明の碍子連取付装置は、笠部および該笠部の中央部に突設された接続部を有する本体部を備えた碍子の、前記接続部どうしを連結手段によって連結してなる碍子連を、被取付体の所定の取付位置に取付ける碍子連取付装置であって、前記複数の碍子のうちの一方の碍子側に取付けられる碍子固定具と、前記碍子固定具に配置され、前記所定の取付位置と前記碍子固定具とを連結する連結手段とを備え、前記連結手段は、前記所定の取付位置に係止可能な索条体と、前記碍子連の長手方向に対し交差する回動軸を有し前記索条体を巻取り可能な巻取器と、前記索条体を挿通可能で前記碍子連の長手方向に沿って延びるガイド部を有するガイド体とを備えた特徴とする。
【０００９】
上記構成を備えた本発明の碍子連取付装置によれば、被取付体の所定の取付位置に係止させた索条体を、ガイド部により、巻取器の回動軸に対し交差する直線上に前記索条体を沿わせているため、巻取器により前記索条体を巻取るだけで、電線を接続した状態の碍子を被取付体の所定の取付位置まで簡単に移動させることができ、前記碍子を被取付体の所定の取付位置に簡単に取付けできる。
【００１０】
本発明の碍子連取付装置では、前記ガイド体は、前記碍子固定具から突出するよう、前記ガイド部の長さを調整可能とする構成を採用することができる。
【００１１】
上記構成の碍子連取付装置によれば、碍子固定具から碍子が突出したとしても、ガイド部の長さを調整することで、碍子連を長手方向に沿わせて被取付体の所定の取付位置に移動させることができる。
【００１２】
本発明の碍子連取付方法は、前記いずれかの碍子連取付装置を用いて、前記碍子連に予め電線を接続し、電線が接続された状態の前記碍子連の複数の碍子のうちの一方の碍子側に碍子固定具を取付け、前記被取付体の所定の取付位置に前記索条体を係止させ、前記索条体を前記ガイド体のガイド部を通して前記巻取器により巻取るようにしたことを特徴とする。
【００１３】
上記構成を備えた本発明の碍子連取付方法は、碍子連に電線を後付けすることがないので、作業効率がよくなる。
【発明の効果】
【００１４】
本発明の碍子連取付装置および碍子連取付方法によれば、被取付体の所定の取付位置に碍子連を簡単な作業で取付けることができる。
【図面の簡単な説明】
【００１５】
【図１】図１は、本発明の一実施形態に係る碍子連取付装置を示した正面図。
【図２】図２は、図１の側面図。
【図３】図３は、図１の平面図。
【図４】図４（ａ）〜（ｃ）は、図１の碍子連取付装置の使用方法（碍子連取付方法）を示した斜視図。
【図５】図５は、碍子連の向きを逆向きにして鉄塔のアームの所定の取付位置に取付ける状態を示した図。
【図６】図６は、碍子の構成を示した一部破断図。
【図７】図７は、従来の碍子連取付装置を示す図。
【発明を実施するための形態】
【００１６】
以下、本発明の一実施形態に係る碍子連取付装置を、図面を参照しつつ説明する。はじめに、碍子連取付装置に関係する碍子および張線器について説明する。
【００１７】
一般に、碍子１００は、図６に示すように、笠部１０１ａおよび笠部１０１ａの中央部に、笠部１０１ａの中心を通る直線に沿って突設された有底筒状の接続部１０１ｂを有する本体部１０１を備える。各碍子１００は、連結手段１０２により互いの接続部１０１ｂどうしを連結されて、複数の碍子１００を連結してなる碍子連１０７とされる（図４参照）。連結手段１０２は、接続部１０１ｂ内に前記直線に沿って内挿された連結軸１０３と、接続部１０１ｂの外面に被嵌されて固着された金属製のキャップ１０４と、一方の碍子１００の連結軸１０３と他方の碍子１００のキャップ１０４とを連結するコッターピン１０５とを備える。キャップ１０４には、前記直線に沿って二つの接続片１０４ａ，１０４ａが突設される。二つの接続片１０４ａ，１０４ａ間には、連結軸１０３の端部が挿入される。各接続片１０４ａ，１０４ａおよび連結軸１０３の端部には、前記直線に対し直交方向に貫通孔１０６が形成され、各貫通孔１０６をコッターピン１０５が貫通することで、碍子１００どうしが連結される。図４に示す碍子連１０７に電線Ｋが接続された状態において、碍子連１０７には、クランプ（電線把持具）Ｃを介して電線Ｋが接続支持されることで、電線Ｋから張力がかかり、貫通孔１０６の内周面にコッターピン１０５の外周面が圧接することで、碍子連１０７は、電線Ｋの張力に対抗している。
【００１８】
張線器５は、被取付体である鉄塔のアームＢに引掛けるフック５０と、電線に取付けられたカムアロング（電線把持具）Ｄに接続されるチェーン５１と、該チェーン５１の巻取り、引出しをするドラム（図示せず）とを備える。なお、クランプＣおよびカムアロングＤについては、既製品を使用するため、その構成についての説明は省略する。
【００１９】
図１〜図３に示すように、碍子連取付装置１は、二つの碍子固定具１１，１１と、連結手段２０とを備える。各碍子固定具１１は、半割れ状の二つの挟持体１１ａ，１１ｂを備える。二つの挟持体１１ａ，１１ｂは、開閉可能に構成され、且つ碍子１００のキャップ１０４に対しキャップ１０４の側方から挟持するよう構成される。二つの挟持体１１ａ，１１ｂのうちの一方を固定側挟持体１１ａとし、他方を可動側挟持体１１ｂとする。
【００２０】
固定側挟持体１１ａの一側部には、固定側挟持体１１ａの径方向外方に向かって突片１２が延出され、該突片１２の中央部には、軸受部１２ａが一つ突設されている。可動側挟持体１１ｂの一側部には、軸受部１２ｂ，１２ｂが二つ突設される。可動側挟持体１１ｂの二つの軸受部１２ｂ，１２ｂが、固定側挟持体１１ａの一つの軸受部１２ａの両側に一列に並ぶよう、互いの一側部どうしを接合させている。接合することにより一列に並んだ軸受部１２ｂ，１２ａ，１２ｂには、支軸１３が貫設され、固定側挟持体１１ａの一側部と可動側挟持体１１ｂの一側部とが支軸１３により連結される。よって、可動側挟持体１１ｂは、固定側挟持体１１ａに対し支軸１３を介して開閉可能に構成される。
【００２１】
固定側挟持体１１ａは、挟持部１４ａと、係止部１５ａとを備える。挟持部１４ａは、碍子１００のキャップ１０４の一方の半周面に周方向に沿って当接する円弧面１４０ａを有する。係止部１５ａは、固定側挟持体１１ａの他側部に径方向外方に向かって延出された突片１５０ａと、該突片１５０ａに並設された二つの嵌合凸部１５１ａ，１５１ａと、該二つの嵌合凸部１５１ａ，１５１ａに対し両側部を回動自在に貫設された回動軸１５２ａと、回動軸１５２ａの中央に該回動軸１５２ａの軸線に対し直交方向に固着され、回動軸１５２ａを中心に回動する雄ねじ１５３ａと、該雄ねじ１５３ａに螺合した蝶ナット１５４ａとを備える。
【００２２】
可動側挟持体１１ｂは、挟持部１４ｂと、被係止部１５ｂとを備える。挟持部１４ｂは、碍子１００のキャップ１０４の他方の半周面に周方向に沿って当接する円弧面１４０ｂを有する。被係止部１５ｂは、可動側挟持体１１ｂの他側部に径方向外方に向かって延出された突片１５０ｂと、該突片１５０ｂに形成された嵌合凹部１５１ｂと、切欠き部１５２ｂとを備える。嵌合凹部１５１ｂは、二つの嵌合凸部１５１ａ，１５１ａに当接する。切欠き部１５２ｂは、突片１５０ｂの端縁部から途中位置にかけて形成されている。切欠き部１５２ｂには、雄ねじ１５３ａが係止し、雄ねじ１５３ａに螺合した蝶ナット１５４ａを締付けることで、可動側挟持体１１ｂの突片１５０ｂと固定側挟持体１１ａの突片１５０ａとが連結固定される。
【００２３】
図１〜図３に示すように、連結手段２０は、一端部にフック２１０が取付けられた索条体２１と、一方の碍子固定具１１の一方の側方端部に取付けられ索条体２１を巻取る巻取器２２と、索条体２１を挿通可能なガイド体２３とを備える。索条体２１は、所定の長さ（碍子連を鉄塔のアームに移動させることができる長さ）を有するチェーンであり、本実施形態では、鉄塔のアームＢの被取付位置Ｘに巻付けられて係止可能に構成されている。
【００２４】
巻取器２２は、既製のレバーホイストと略同一の構成であり、固定側挟持体１１ａの突片１２に固着された枠体２２０と、該枠体２２０の平行に配置された二つの側壁２２０ａ，２２０ａに回動支持された軸２２１と、軸２２１に固着され、索条体２１を巻付けられたドラム２２２と、軸２２１に固着されたラチェット歯車２２３と、軸２２１に固着された操作ハンドル２２４と、軸２２１に回転自在に設けられた操作レバー２２５とを備える。巻取器２２は、碍子連の長手方向に対し軸２２1を交差（直交）するよう、固定側挟持体１１ａの突片１２に固着されている。
【００２５】
操作レバー２２５は、係止爪２２６と、切替レバー２２７とを備える。係止爪２２６は、ラチェット歯車２２３の歯に対し係止するよう常時付勢されている。切替レバー２２７は、ラチェット歯車２２３に対する係止爪２２６の係止位置を、索条体２１を巻上げる方向に回転するラチェット歯車２２３への巻上げ係止位置と、索条体２１を引出す方向に回転するラチェット歯車２２３への引出し係止位置とに切替える。操作レバー２２５は、ラチェット歯車２２３に対する係止爪２２６の係止位置に応じて軸２２１を回動操作でき、係止爪２２６の係止位置に応じた軸２２１の回動によりドラム２２２を回動させ、索条体２１の巻取り、引出しを行えるよう構成されている。操作ハンドル２２４は、操作レバー２２５と同様に、係止爪２２６の係止位置に応じて軸２２１を回動操作でき、係止爪２２６の係止位置に応じた軸２２１の回動によりドラム２２２を回動させ、索条体２１の巻取り、引出しを行えるよう構成されている。
【００２６】
ガイド体２３は、枠体２２０から索条体２１を導出する開口周縁部に取付けられた取付部２３ａと、該取付部２３ａから、鉄塔のアームＢの所定の取付位置Ｘを通る平面に向かって延出される第一延出部２３０と、該第一延出部２３０から、前記取付位置Ｘを通り且つ鉄塔のアームＢに対し直交方向に延びる直線Ｏに向かって延出される第二延出部２３１と、前記直線Ｏに沿うように第二延出部２３１から前記所定の取付位置Ｘに向かって延出されるガイド部２３２とを備える。第一延出部２３０、第二延出部２３１、およびガイド部２３２は、それぞれ筒状で、ガイド部２３２の先端は、碍子固定具１１よりも突出した位置（鉄塔のアームＢの所定の取付位置Ｘ寄りの位置）にある。
【００２７】
上記構成を備えた碍子連取付装置１の使用方法（碍子連取付方法）について説明する。はじめに、作業者は、図４（ａ）に示すように、鉄塔のアームＢに張線器５のフック５０を係止させ、取替対象となる碍子連１０７を有する電線ＫにカムアロングＤを取付け、張線器５のチェーン５１とカムアロングＤとを接続し、張線器５のチェーン５１を巻取ることにより電線Ｋを緊線し、取替対象となる碍子連１０７に対する張力を張線器５で受けさせる。
【００２８】
この状態において、鉄塔のアームＢから取替対象となる碍子連１０７を取外し、新しく碍子連１０７を用意し、張線器５に接続された電線Ｋに新しい碍子連１０７のうちの電線Ｋ側に位置する碍子１００の連結軸１０３に、クランプＣを介して電線Ｋを接続する。図４（ａ）〜図４（ｃ）では、５つの碍子１００を連結した碍子連１０７を図示しているが、これに限定されるものではなく、単数、２つ以上であってもよい。
【００２９】
つぎに作業者は、鉄塔のアームＢ側に位置する碍子１００の接続部１０１ｂ側、すなわち碍子１００のキャップ１０４に碍子固定具１１を取付ける。碍子１００に碍子固定具１１を取付ける場合、作業者は、碍子固定具１１の二つの挟持体１１ａ，１１ｂを開いた状態にしておいて、碍子１００のキャップ１０４の一方の片面に固定側挟持体１１ａの挟持部（円弧面）１４ａをあてがいつつ、可動側挟持体１１ｂを閉方向に回動し、可動側挟持体１１ｂの挟持部１４ｂをキャップ１０４の他方の片面にあてがい、固定側挟持体１１ａの嵌合凸部１５１ａに可動側挟持体１１ｂの嵌合凹部１５１ｂを嵌合させ、嵌合凹部１５１ｂの切欠き部１５２ｂに雄ねじ１５３ａを挿入し係止させ、雄ねじ１５３ａに螺合した蝶ナット１５４ａを締め付けて二つの挟持体１１ａ，１１ｂを連結固定する。
【００３０】
この際、作業者は、索条体２１を鉄塔のアームＢと碍子１００との間の距離よりも長めに引出し余長を確保しておく。したがって、各碍子１００には電線および索条体２１の両方からの張力はかかっていなく、各碍子１００の貫通孔１０６の内周面からコッターピン１０５の外周面は離脱した状態になっている。この状態において、作業者は、鉄塔のアームＢの所定の取付位置Ｘに索条体２１を巻付ける。索条体２１は、碍子１００の接続部１０１ｂの突設された方向に沿って巻取器２２から引出されるため、その延長線上に位置する鉄塔のアームＢの所定の取付位置Ｘに容易に巻付けることができる。
【００３１】
つぎに作業者は、図４（ｂ）に示すように、巻取器２２のハンドルを操作して、索条体２１の余長を巻取った後、操作レバー２２５を操作して索条体２１を巻取る。この際、各碍子１００が略一直線状に並ぶ。つぎに、作業者は、図４（ｃ）に示すように、さらに碍子連１０７を鉄塔のアームＢの所定の取付位置Ｘ側に移動させ、前記取付位置Ｘに碍子連１０７を取付ける。
【００３２】
このように、本実施形態では、碍子連取付装置１は、鉄塔のアームＢの所定の取付位置Ｘに係止させた索条体２１をガイド体２３のガイド部２３２を通して巻取器２２で巻取るだけで、碍子１００を鉄塔のアームＢ（被取付体）の所定の取付位置Ｘに簡単な作業で取付けることができる。
【００３３】
本発明の碍子連取付装置１は、上記実施形態に限定されない。上記実施形態では、電線が架設される鉄塔どうしの高さは、同一とした。しかしながら、鉄塔が傾斜面に設置され、電線が斜めに架設される場合、碍子連１０７は前記実施形態とは逆向きに取付ける。この理由としては、碍子連１０７の笠部１０１ａの表面形状に沿って雨水などが流れるようにするためである。図５に示すように、碍子連１０７を逆向きに取付ける場合、鉄塔のアームＢ側に碍子１００の連結軸１０３を位置させ、この碍子１００のキャップ１０４に電線を接続するとともに碍子固定具１１を取付け、索条体２１を鉄塔のアームＢに巻付け、巻取器２２を操作し索条体２１を巻取り、碍子連１０７を鉄塔のアームＢの所定の取付位置Ｘに引寄せる。
【００３４】
上記実施形態では、碍子装置Ａとしては、耐張碍子装置を例示した。しかしながら、碍子装置Ａとしては、懸垂碍子装置とすることが考えられる。
【００３５】
上記実施形態では、被取付体Ｂとしては、鉄塔のアームを例示した。しかしながら、被取付体Ｂとしては、電柱の腕金とすることが考えられる。
【００３６】
上記実施形態では、碍子連取付装置１は、碍子連１０７の長手方向に沿うガイド部２３２の長さを、固定された長さであるとした。しかしながら、碍子連取付装置１は、ガイド部２３２の長さを、碍子固定具１１から突出するよう長さ調整することが考えられる。この場合、碍子連取付装置１は、碍子固定具１１からキャップ１０４が突出する大きさの碍子１００であっても、碍子連１０７を被取付体Ｂの所定の取付位置Ｘに移動させることができる。
【００３７】
上記実施形態では、碍子連取付装置１は、筒状のガイド部２３２を例示した。しかしながら、碍子連取付装置１は、樋形状のガイド部としたり、第一延出部２３０、第二延出部２３１を樋形状としたりすることが考えられる。この場合、碍子連取付装置１は、索条体２１の引出し、巻取りが円滑に行える。
【００３８】
上記実施形態では、碍子連取付装置１は、碍子固定具１１を碍子１００のキャップ１０４に取付けるようにした。しかしながら、碍子連取付装置１は、碍子固定具１１を笠部１０１ａに取付けられることが考えられる。
【００３９】
上記実施形態では、碍子連取付装置１は、碍子１００の一方の側方端部に巻取器２２を取付けた例示をした。しかしながら、碍子連取付装置１は、碍子１００の他方の側方端部、あるいは挟持部１４ａ，１４ｂに巻取器２２を着脱可能に取付けることが考えられる。
【００４０】
上記実施形態では、碍子連取付装置１は、巻取器２２の回動軸を、碍子連１０７の長手方向に対し直交するとした。しかしながら、碍子連取付装置１は、巻取器２２の回動軸を、碍子連１０７の長手方向に対し交差することが考えられる。要は、碍子連取付装置１として、作業者が巻取器２２を操作しやすく、索条体２１を円滑に巻取れる構成であればよい。
【符号の説明】
【００４１】
１…碍子連取付装置、１１…碍子固定具、１１ａ…固定側挟持体、１１ｂ…可動側挟持体、１２…突片、１２ａ，１２ｂ…軸受部、１３…支軸、１４ａ，１４ｂ…挟持部、１４０ａ，１４０ｂ…円弧面、１５ａ…係止部、１５ｂ…被係止部、１５０ａ，１５０ｂ…突片、１５１ａ…嵌合凸部、１５１ｂ…嵌合凹部、１５２ａ…回動軸、１５２ｂ…切欠き部、１５３ａ…雄ねじ、１５４ａ…蝶ナット、２０…連結手段、２１…索条体、２２…巻取器、２２０…枠体、２２０ａ…側壁、２２１…軸、２２２…ドラム、２２３…ラチェット歯車、２２４…操作ハンドル、２２５…操作レバー、２３…ガイド体、２３ａ…取付部、２３０…第一延出部、２３１…第二延出部、２３２…ガイド部、１００…碍子、１０１…本体部、１０１ａ…笠部、１０１ｂ…接続部、１０２…連結手段、１０３…連結軸、１０４…キャップ、１０４ａ…接続片、１０５…コッターピン、１０６…貫通孔、１０７…碍子連、Ａ…碍子装置、Ｂ…被取付体（鉄塔のアーム）、Ｃ…クランプ、Ｄ…カムアロング、Ｋ…電線、Ｘ…取付位置
【図１】
2019092237.tif 000003
【図２】
2019092237.tif 000004
【図３】
2019092237.tif 000005
【図４】
2019092237.tif 000006
【図５】
2019092237.tif 000007
【図６】
2019092237.tif 000008
【図７】
2019092237.tif 000009